(57)【要約】  天井埋込形空気調和機は、室内熱交換器と室内送風機を有した本体と、本体の開口側から取り付けられる化粧パネルと、化粧パネルの意匠側に設けられた吸込グリルと、吸込グリルの左右に設けられたサイドパネルとを備え、化粧パネルが本体に取り付いた状態で、回動して開いた吸込グリルにより化粧パネルに着脱可能に取り付けられたサイドパネルを取り外すことで、本体の吊り金具の操作ができると共に、本体に設けられた電気品又は配管接続部への作業アクセスができる開口部を形成したものである。
2018179136.tif 000002
【特許請求の範囲】
【請求項１】
室内熱交換器と室内送風機を有した本体と、前記本体の開口側から取り付けられる化粧パネルと、前記化粧パネルの意匠側に設けられた吸込グリルと、前記吸込グリルの左右に設けられたサイドパネル、とを備え、前記化粧パネルが前記本体に取り付いた状態で、回動して開いた前記吸込グリルにより前記化粧パネルに着脱可能に取り付けられた前記サイドパネルを取り外すことで、前記本体の吊り金具の操作ができると共に、前記本体に設けられた電気品又は配管接続部への作業アクセスができる開口部を形成することを特徴とする天井埋込形空気調和機。
【請求項２】
前記サイドパネルの少なくとも一方にワイヤレス受光部に対応した窓を有したことを特徴とする請求項１記載の天井埋込形空気調和機。
【請求項３】
前記サイドパネルのねじ固定用凸部が前記吸込グリルと前記化粧パネルとの間に配置されたことを特徴とする請求項１記載の天井埋込形空気調和機。
【請求項４】
前記サイドパネルの前記化粧パネルとの接続側辺に引っ掛け爪と、その両端辺にはそれぞれ固定爪とを備えたことを特徴とする請求項１〜３のいずれかに記載の天井埋込形空気調和機。
【請求項５】
前記サイドパネルの内側に不燃材を設けたことを特徴とする請求項１〜４のいずれかに記載の天井埋込形空気調和機。
【請求項６】
請求項１〜５のいずれか１項に記載の天井埋込形空気調和機は、少なくとも圧縮機及び室外熱交換器を備えた室外機と冷媒配管接続されて冷凍サイクルを構成する室内機を有し空気調和運転を行うことを特徴とする天井埋込形空気調和機。
【発明の詳細な説明】
【技術分野】
【０００１】
本発明は、天井埋込形空気調和機の化粧パネルに関するものである。
【背景技術】
【０００２】
従来、天井に設けられた開口を介して天井内に埋め込まれる空気調和機の天井埋込形室内機において、化粧パネルの中央にある吸込口を有したセンターパネルの左右両側にサイドパネルを備え、センターパネルに着脱可能にねじ固定されたサイドパネルを取り外すことで、吊り下げ具の操作ができる構成が開示されている（例えば、特許文献１参照）。【０００３】
また、空気調和機本体の下面に取り付けられる化粧パネルの四隅に設けたコーナーパネルは、引っ掛け爪とねじ固定部を有し、取り外して吊り具の操作ができる構成が開示されている（例えば、特許文献２参照）。
【先行技術文献】
【特許文献】
【０００４】
【特許文献１】特開２０１３−２０００９６号公報
【特許文献２】特開２００９−４１７７９号公報
【発明の概要】
【発明が解決しようとする課題】
【０００５】
天井埋込形空気調和機の本体は天井内部に設置され、天井面の開口穴を介して空気調和機本体ケースの開口下部に室内空間に露出する化粧パネルが取り付けられる構成である。そのため、化粧パネルを本体ケースに取り付けた状態で吊り具の高さ調整の作業ができるように、化粧パネルの一部を取り外すことにより操作用開口が形成され、そこから工具を挿入して吊り下げ具の微調整を行っていた。しかし、天井埋込形空気調和機のメンテナンス作業には電気品の配線接続やスイッチ設定などの電気品に関わる作業や、冷媒配管の接続部の漏れ確認や断熱材の点検作業があり、その作業のためには吊り具調整用の開口部だけでは作業アクセスができないという問題点があった。【０００６】
この発明は、上記のような課題を解決するためになされたもので、天井埋込形空気調和機に化粧パネルを取り付けた状態で吊り具の操作、ならびに天井埋込形空気調和機が備える電気品や冷媒配管接続部への作業アクセスを可能にする天井埋込形空気調和機を提案することを目的とする。
【課題を解決するための手段】
【０００７】
本発明に係る天井埋込形空気調和機は、室内熱交換器と室内送風機を有した本体と、本体の開口側から取り付けられる化粧パネルと、化粧パネルの意匠側に設けられた吸込グリルと、吸込グリルの左右に設けられたサイドパネルとを備え、化粧パネルが本体に取り付いた状態で、回動して開いた吸込グリルにより化粧パネルに着脱可能に取り付けられたサイドパネルを取り外すことで、本体の吊り金具の操作ができると共に、本体に設けられた電気品又は配管接続部への作業アクセスができる開口部を形成したものである。
【発明の効果】
【０００８】
本発明の天井埋込形空気調和機は、室内熱交換器と室内送風機を有した本体と、本体の開口側から取り付けられる化粧パネルと、化粧パネルの意匠側に設けられた吸込グリルと、吸込グリルの左右に設けられたサイドパネルとを備え、化粧パネルが本体に取り付いた状態で、回動して開いた吸込グリルにより化粧パネルに着脱可能に取り付けられたサイドパネルを取り外すことで、本体の吊り金具の操作ができると共に、本体に設けられた電気品又は配管接続部への作業アクセスができる開口部を形成したので、本体に化粧パネルを取り付けた状態で吊り金具の操作、ならびに天井埋込形空気調和機が備える電気品や冷媒配管接続部への作業アクセスを可能とする効果を奏する。
【図面の簡単な説明】
【０００９】
【図１】本発明の実施の形態１に係る天井埋込形空気調和機を示す斜視図である。
【図２】本発明の実施の形態１に係る天井埋込形空気調和機の吸込グリルと左右サイドパネルが開いた状態を示す斜視図である。
【図３】本発明の実施の形態１に係る天井埋込形空気調和機の化粧パネルと左右サイドパネルのねじ固定部を示す斜視図である。
【図４】本発明の実施の形態１に係る天井埋込形空気調和機のサイドパネルの構造を示す斜視図である。
【図５】本発明の実施の形態１に係る天井埋込形空気調和機のサイドパネルの固定凸部を示す断面図である。
【図６】本発明の実施の形態１に係る天井埋込形空気調和機の電気品と配管接続部を示す図である。
【図７】本発明の実施の形態１に係る天井埋込形空気調和機の構成例を表す図である。
【発明を実施するための形態】
【００１０】
実施の形態１．
図１はこの発明の実施の形態１における天井埋込形空気調和機を示す斜視図、図２はこの発明の実施の形態１における吸込グリルと左右サイドパネルが開いた状態を示す斜視図を示すものである。図１、２において天井埋込形空気調和機１は室内機本体１と化粧パネル２で構成されている。化粧パネル２の意匠面は、左右にサイドパネル６、中央に吸込グリル５という構成となっており、サイドパネル６はワイヤレス受光部７に対応した窓を有する。また、室内機には電気品１４と配管接続部１５が備わっている。
【００１１】
図２に示すように、中央の吸込グリル５は吹出口４とは対向する一辺側にて回転自在に化粧パネルに取り付けられている。そして、その左右に配置されたサイドパネル６は、それぞれ、吸込グリル５とは反対側の一端辺部を中心に回動できるように化粧パネルに係止めされ、着脱可能に取り付けられている。サイドパネル６は、吸込グリル５を開くと、それぞれ独立に開くことができる。サイドパネル６の一方を開くと、本体１に設けられた電気品が現れ、下側からその電気品にアクセスできる構成となっている。この電気品にはワイヤレス受光部を備えているので、サイドパネル６には開閉することなくワイヤレス信号を受信できるようにワイヤレス受光用窓が設けられている。もう一方のサイドパネル６を開くと、室内熱交換器に冷媒を循環させるための冷媒配管接続部が現れ、下側からアクセス可能となっている。
【００１２】
図３はこの発明の実施の形態１における化粧パネルと左右サイドパネルのねじ固定部を示す斜視図、図４はこの発明の実施の形態１におけるサイドパネルの構造を示す斜視図を示したものである。図３、４において、吸込口４の左右両側に取り付けられるサイドパネル６は長方形を有し、長手方向の一辺側で化粧パネルとの接続側辺に引っ掛け爪１０が左右端部と中央の３か所に備えられる。次いで、引っ掛け爪１０を備える向かい側の一辺である対向長手側辺には、中央にねじ固定穴を備えるねじ固定用凸部１１を備える。ねじ固定用凸部１１が設けられた辺に垂直な短手方向の両端側には固定爪１２をそれぞれ１か所備える。図４にて示すように、サイドパネル６の四辺の内側には不燃材１３が設けられている。
【００１３】
サイドパネル６の長手方向の一辺側に設けられた引っ掛け爪１０は、化粧パネル４の開口端部に係止される構成である。引っ掛け爪１０の対向辺側に設けられたねじ固定用凸部１１はサイドパネル６から延出した凸形状をなし、サイドパネル６を化粧パネル２に取付けた際に下方からねじで固定できるようにねじ固定穴を有している。
【００１４】
図３に示すように、化粧パネル２から吸込口の左右両側に設けられたサイドパネル６を取り外すと、天井内側を覗くことができる開口部９がそれぞれに設けられている。化粧パネル２の開口部９に対応したサイドパネル６の対向面には不燃材１３が設けられており、天井内部から化粧パネル２側へ落下もしくは付着する異物を受け取る。
【００１５】
図５はこの発明の実施の形態１における左右サイドパネルのねじ固定用凸部１１を示す断面図、図６はこの発明の実施の形態１における電気品と配管接続部を示す図を示すものである。図５、６において、吸込グリル５からなる吸込口３の左右両側のサイドパネル６のねじ固定用凸部１１は、吸込グリル５と化粧パネル本体２との間に位置するものである。また、左右のサイドパネル６の天井内側となる上部には天井埋込形空気調和機（室内機）の電気品１４、配管接続部１５、吊り金具１６が位置する構造となっている。
【００１６】
次に動作について説明する。
このように構成された天井埋込形空気調和機１においては、吸込グリル５を有した吸込口３の左右両側のサイドパネル６を化粧パネル２へ取り付けの際は、サイドパネル６に設けられた３か所ある引っ掛け爪１０を化粧パネル本体に引っ掛け、その後２か所ある固定爪１２を化粧パネル本体に引っ掛けて、ねじ固定用凸部１１のねじ固定穴を介してねじ８により固定する。次いで、吸込グリル５を化粧パネル本体に取り付ける。
【００１７】
化粧パネル２から吸込グリル５やサイドパネル６をそれぞれ取り外す場合は、取り付けとは逆の手順で行うことで容易に化粧パネル２を開けることができる。
【００１８】
以上のように、化粧パネル２を天井埋込形空気調和機本体１に取り付けた状態で、化粧パネル２に備えられた開口部９を介して、室内側の下方から室内機本体１の吊り金具１６に作業アクセスが可能になる。そして、この開口部９から作用者が工具を持って手を挿入することで、室内機本体１の吊り位置を調整することができる。また、同様にこの開口部９から室内機本体の電気品１４や配管接続部１５にも作業アクセスが可能になるので、据付作業性が向上するものである。
【００１９】
また、吸込グリル５の左右両側に取り付けられるサイドパネル６のねじ固定用凸部１１が、吸込グリル５と化粧パネル本体２との間に位置するので、意匠面にねじ固定部が出ないので、意匠性が良い。
【００２０】
また、サイドパネル６の内側に不燃材１３を備えるので、天井埋込形空気調和機本体１の電気品１４や配管接続部１５が外部からの火災により類焼しても、室内側に延焼するのをサイドパネル６で防ぐことができる。
【００２１】
図７はこの発明の天井埋込形空気調和機の構成例を表す図である。ここで、図７では冷凍サイクルを構成する室外機と冷媒配管で接続された室内機が組み合わされた天井埋込形空気調和機の例として示している。図７において、図１等において説明したものについては、同様の動作を行うものとする。図７の空気調和機は、室外機（室外ユニット）２００と、実施の形態１において説明した室内機（室内ユニット）１００とをガス冷媒配管３００、液冷媒配管４００により配管接続する。
【００２２】
室内機１００は、例えばフィンアンドチューブ型熱交換器からなり、室内の空気と冷媒とを熱交換させる室内熱交換器１１０を有している。また、室内機１００は、室内熱交換器１１０に付設された室内送風機を有している。室内送風機は、例えばクロスフローファンの遠心送風機からなり、室内の空気を吸い込み、室内熱交換器１１０へ送風するものである。
【００２３】
室外機２００は、圧縮機２１０、四方弁２２０、室外熱交換器２３０及び膨張弁２４０を有している。圧縮機２１０は、吸入した冷媒を圧縮して吐出する。ここで、特に限定するものではないが、圧縮機２１０は例えばインバータ制御により、運転周波数を任意に変化させることにより、圧縮機２１０の容量（単位時間あたりの冷媒を送り出す量）を変化させることができるようにしてもよい。四方弁２２０は、例えば冷房運転時と暖房運転時とによって冷媒の流れを切り換える弁である。
【００２４】
本実施の形態における室外熱交換器２３０は、冷媒と空気（室外の空気）との熱交換を行う。例えば、暖房運転時においては蒸発器として機能し、冷媒を蒸発させ、気化させる。また、冷房運転時においては凝縮器として機能し、冷媒を凝縮して液化させる。
【００２５】
絞り装置（流量制御手段）等の膨張弁２４０は冷媒を減圧して膨張させる。例えば電子式膨張弁等で構成した場合には、制御装置（図示せず）等の指示に基づいて開度調整を行う。室内熱交換器１１０は、例えば空調対象となる空気と冷媒との熱交換を行う。暖房運転時においては凝縮器として機能し、冷媒を凝縮して液化させる。また、冷房運転時においては蒸発器として機能し、冷媒を蒸発させ、気化させる。
【００２６】
以上のように空気調和機を構成することで、室外機２００の四方弁２２０により冷媒の流れを切り換えることで、暖房運転及び冷房運転を実現することができる。
【符号の説明】
【００２７】
１  天井埋込形空気調和機本体、２  化粧パネル、３  吸込口、４  吹出口、５  吸込グリル、６  サイドパネル、７  ワイヤレス受光部、８  ねじ、９  開口部、１０  引っ掛け爪、１１  ねじ固定用凸部、１２  固定爪、１３  不燃材、１４  電気品、１５  配管接続部、１６  吊り金具、２０  吊りボルト、２１  天井板、１００  室内機、１１０  室内熱交換器、２００  室外機、２１０  圧縮機、２２０  四方弁、２３０  室外熱交換器、２４０  膨張弁、３００  ガス冷媒配管、４００  液冷媒配管。
【図１】
2018179136.tif 000003
【図２】
2018179136.tif 000004
【図３】
2018179136.tif 000005
【図４】
2018179136.tif 000006
【図５】
2018179136.tif 000007
【図６】
2018179136.tif 000008
【図７】
2018179136.tif 000009
【手続補正書】
【提出日】令和1年7月1日(2019.7.1)
【手続補正１】
【補正対象書類名】明細書
【補正対象項目名】０００７
【補正方法】変更
【補正の内容】
【０００７】
この発明に係る天井埋込形空気調和機は、室内熱交換器と室内送風機を有した本体と、本体の開口側から取り付けられる化粧パネルと、化粧パネルの意匠側に設けられた吸込グリルと、吸込グリルの左右に設けられたサイドパネルとを備え、化粧パネルが本体に取り付いた状態で、回動して開く吸込グリルと化粧パネルとの間に配置されたサイドパネルのネジ固定用凸部を介して、化粧パネルに着脱可能に取り付けられたサイドパネルを取り外すことで、本体の吊り金具の操作ができると共に、本体に設けられた電気品又は配管接続部への作業アクセスができる開口部を形成したものである。
【手続補正２】
【補正対象書類名】明細書
【補正対象項目名】０００８
【補正方法】変更
【補正の内容】
【０００８】
本発明の天井埋込形空気調和機は、室内熱交換器と室内送風機を有した本体と、本体の開口側から取り付けられる化粧パネルと、化粧パネルの意匠側に設けられた吸込グリルと、吸込グリルの左右に設けられたサイドパネルとを備え、化粧パネルが本体に取り付いた状態で、回動して開く吸込グリルと化粧パネルとの間に配置されたサイドパネルのネジ固定用凸部を介して、化粧パネルに着脱可能に取り付けられたサイドパネルを取り外すことで、本体の吊り金具の操作ができると共に、本体に設けられた電気品又は配管接続部への作業アクセスができる開口部を形成したので、本体に化粧パネルを取り付けた状態で吊り金具の操作、ならびに天井埋込形空気調和機が備える電気品や冷媒配管接続部への作業アクセスを可能とする効果を奏する。
【手続補正３】
【補正対象書類名】特許請求の範囲
【補正対象項目名】全文
【補正方法】変更
【補正の内容】
【特許請求の範囲】
【請求項１】
室内熱交換器と室内送風機を有した本体と、前記本体の開口側から取り付けられる化粧パネルと、前記化粧パネルの意匠側に設けられた吸込グリルと、前記吸込グリルの左右に設けられたサイドパネルと、を備え、前記化粧パネルが前記本体に取り付いた状態で、回動して開く前記吸込グリルと前記化粧パネルとの間に配置された前記サイドパネルのネジ固定用凸部を介して、前記化粧パネルに着脱可能に取り付けられた前記サイドパネルを取り外すことで、前記本体の吊り金具の操作ができると共に、前記本体に設けられた電気品又は配管接続部への作業アクセスができる開口部を形成することを特徴とする天井埋込形空気調和機。
【請求項２】
前記サイドパネルの少なくとも一方にワイヤレス受光部に対応した窓を有したことを特徴とする請求項１記載の天井埋込形空気調和機。
【請求項３】
前記サイドパネルの前記化粧パネルとの接続側辺に引っ掛け爪と、その両端辺にはそれぞれ固定爪とを備えたことを特徴とする請求項１または２記載の天井埋込形空気調和機。
【請求項４】
前記サイドパネルの内側に不燃材を設けたことを特徴とする請求項１〜３のいずれか１項に記載の天井埋込形空気調和機。
【請求項５】
請求項１〜４のいずれか１項に記載の天井埋込形空気調和機は、少なくとも圧縮機及び室外熱交換器を備えた室外機と冷媒配管接続されて冷凍サイクルを構成する室内機を有し空気調和運転を行うことを特徴とする天井埋込形空気調和機。
【国際調査報告】
2018179136.tif 000010
2018179136.tif 000011
2018179136.tif 000012
2018179136.tif 000013